(57)【要約】【課題】規則上の要件を充足しつつ、遊技機からの音声を好適に聞き取り可能な音声出力装置を提供する。【解決手段】本発明の一実施形態に係る音声出力装置は、別機である遊技機にて出力される音声と同一の音声をヘッドフォンに出力する音声出力装置であって、遊技機から音声に対応付けられた音声識別子を取得する取得手段と、取得手段により取得された音声識別子に基づいて音声識別子に対応付けられた音声を再生する音声再生手段と、音声再生手段により再生された音声を前記ヘッドフォンに出力する出力手段とを備える。【選択図】図１
2017213052.tif 000002
【特許請求の範囲】
【請求項１】
別機である遊技機にて出力される音声と同一の音声をヘッドフォンに出力する音声出力装置であって、
前記遊技機から前記音声に対応付けられた音声識別子を取得する取得手段と、
前記取得手段により取得された前記音声識別子に基づいて該音声識別子に対応付けられた音声を再生する音声再生手段と、
前記音声再生手段により再生された前記音声を前記ヘッドフォンに出力する出力手段と、
を備えることを特徴とする音声出力装置。
【請求項２】
前記取得手段は、
前記遊技機の表示装置に表示された画像であって、該遊技機から出力される前記音声に対応付けられた音声識別子を含む画像を撮像する撮像手段と、
前記撮像手段により撮像された前記画像から前記音声識別子を取得する画像処理手段と、を含むこと、
を特徴とする請求項１記載の音声出力装置。
【請求項３】
前記出力手段は、
前記音声再生手段により再生された音声を、複数の前記ヘッドフォンに出力すること、
を特徴とする請求項１又は２記載の音声出力装置。
【発明の詳細な説明】
【技術分野】
【０００１】
本発明は、遊技機の音声出力装置に関する。
【背景技術】
【０００２】
従来より、パチンコ機やパチスロ機などの遊技機においては、様々な効果音や演出音を遊技機のスピーカーから出力することで、遊技機の趣向性を向上させたり、大当たりの期待度を高めている。また、近年では実在するミュージシャンやアニメ等のキャラクターを遊技機のコンテンツとして採用した機種も多く、このような機種では楽曲や主題歌が楽しめるので、遊技者の人気を集めている。
ここで、ホール店内には多数の遊技機が設置されており、各々の遊技機から出力される演出音等や店内放送などにより、店内は騒音環境となっていることが少なくない。この場合、周辺の騒音により遊技者は楽しみたいはずの自遊技機の演出音等を十分に聞き取ることができない。
これに関する技術として、遊技機に差し込み口を設け、ヘッドフォンを介して演出音を出力する遊技機が知られている（特許文献１参照）。また、無線通信によって遊技機が発する音を聞き取ることが可能な遊技機が知られている（特許文献２参照）。
【先行技術文献】
【特許文献】
【０００３】
【特許文献１】特開２００４−９７２８８号公報
【特許文献２】特開２００９−１０１０１４号公報
【発明の概要】
【発明が解決しようとする課題】
【０００４】
しかしながら、現状、遊技機の認定及び型式の検定等に関する規則上、遊技の結果に影響を及ぼすおそれのある信号を送信することができるものではないこと、と規定されている。上記特許文献１、２に記載されるように、ヘッドフォンに差し込み口や無線通信を介して遊技機から音声情報を送信することは、該音声情報が上記遊技の結果に影響を及ぼすおそれのある信号とみなされる可能性が高く、実装が難しいという問題がある。
【０００５】
本発明は、上記の点に鑑み提案されたものであり、一つの側面では、上述の規則上の要件を充足しつつ、遊技機からの音声を好適に聞き取り可能な音声出力装置を提供することを目的とする。
【課題を解決するための手段】
【０００６】
本発明の一態様に係る音声出力装置は、別機である遊技機にて出力される音声と同一の音声をヘッドフォンに出力する音声出力装置であって、前記遊技機から前記音声に対応付けられた音声識別子を取得する取得手段と、前記取得手段により取得された前記音声識別子に基づいて該音声識別子に対応付けられた音声を再生する音声再生手段と、前記音声再生手段により再生された前記音声を前記ヘッドフォンに出力する出力手段と、を備える。
【発明の効果】
【０００７】
本発明の実施形態によれば、規制上の要件を充足しつつ、遊技機からの音声を好適に聞き取り可能な音声出力装置を提供することができる。
【図面の簡単な説明】
【０００８】
【図１】本発明の一実施形態に係る遊技システムの全体構成を示す図である。
【図２】本発明の一実施形態に係るパチンコ機の正面図である。
【図３】本発明の一実施形態に係る遊技システムの制御系構成を示す図である。
【図４】本発明の一実施形態に係る音声と音声識別子とを対応付けるテーブル情報を示す図である。
【図５】本発明の一実施形態に係る遊技システムの制御処理を示す全体シーケンス図である。
【図６】本発明の一実施形態に係るパチンコ機の制御処理Ｓ１０を示すフローチャート図である。
【図７】本発明の一実施形態に係る音声出力装置の制御処理Ｓ２０を示すフローチャート図である。
【図８】本発明の一実施形態に係るヘッドフォンの制御処理Ｓ３０を示すフローチャート図である。
【図９】本発明の一実施形態に係る遊技システムの制御処理を示す全体シーケンス図である。
【発明を実施するための形態】
【０００９】
以下、図面を参照して、本発明を実施するための形態について説明する。
＜構成＞
（外観構成）
図１は、本発明の一実施形態に係る遊技システムの全体構成を示す図である。図２は、本発明の一実施形態に係るパチンコ機の正面図である。以下、図１及び２を参照しながら説明する。
本実施形態に係る遊技システムは、弾球遊技機（以下、「パチンコ機」とも呼ぶ）１、音声出力装置２０、及びヘッドフォン３０を含む。
【００１０】
パチンコ機１は、いわゆるデジタルパチンコ機（デジパチ機）である。遊技者が操作ハンドル２を操作し、上受皿３上の遊技球の打ち出しを行うと、透明のフロントガラスに保護された遊技盤４内に遊技球が打ち出される。打ち出された遊技球が始動口５に入賞すると、パチンコ機１内部では、大当たり抽せんが行われる。また、始動口５に遊技球が入賞すると同時に映像表示装置６に表示された図柄（例えば、３つの数字図柄など）が変動し、大当たり抽せんに当せんした場合、例えば、停止図柄が揃うなどして、大当たり状態が発生する。大当たり状態が発生すると、大入賞口７が大当たりラウンド数の回数分、開閉する。
【００１１】
また、本実施形態に係るパチンコ機１は、音声画像表示装置８を備える。音声画像表示装置８は、パチンコ機１から出力される様々な音声を特定するための画像（以下、音声画像とよぶ）として表示する。この音声画像は、音声を特定するための情報（例えば、ＩＤ等）が所定の方法により変換された二次元バーコード（例えば、ＱＲコード（登録商標））である。また、ここでいう音声とは、例えば、演出音、効果音、ＢＧＭ、楽曲、セリフ（声）など、パチンコ機１から出力されるあらゆる音を含む。なお、上記音声画像は、一次元バーコードであってもよいし、文字列等からなるパスワードであってもよい。
【００１２】
音声出力装置２０が、フロントガラスを挟んで音声画像表示装置８に対向する位置に配置されている。音声出力装置２０は小型の撮像部（カメラ）２１を搭載し、音声画像表示装置８に表示された音声画像を撮影する。音声画像には、パチンコ機１から出力される音声を識別するための音声識別子が埋め込まれている。音声出力装置２０は撮影した音声画像から音声識別子を取得し、音声識別子に基づいてパチンコ機１から出力される音声を生成し、生成した音声をヘッドフォン３０に対して無線等により送信する。
なお、音声出力装置２０は、パチンコ機１筐体とは別個の装置である。筐体に外から取り付けられる形で設置されてもよいし、パチンコ機間の島設備の一部等に取り付けられてもよい。
【００１３】
ヘッドフォン３０は、電気信号を音声に変換する機器であって、装着者の両耳を覆う形の小型スピーカーを備える。遊技中、遊技者はヘッドフォン３０を両耳まわりにバンドで装着する。ヘッドフォン３０は、音声出力装置２０から音声を受信すると、音声をスピーカーから出力する。
なお、ヘッドフォン３０は、音声（音声情報）を無線により受信可能な両耳用のワイヤレスヘッドフォンである。但し、音声出力装置２０と有線コードで接続し、音声を有線により受信可能な有線ヘッドフォンであってもよい。また、ヘッドフォン３０は、片耳用のイヤホンに代えてもよい。
【００１４】
（機能構成）
図３は、本発明の一実施形態に係る遊技システムの制御系構成を示す図である。
まず、パチンコ機１は、基板系として主基板１１及び周辺基板１２を有する。
主基板１１は、主に抽せん処理を司るメイン制御部としての機能を有するメイン制御基板である。主基板１１は、各種演算、演出処理の制御等を実行する。即ち、図１の始動口５に遊技球が入賞したことを検知すると、主基板１１は、大当たり抽せん、ならびに該大当たり抽せんに関する演出における尺（音声発生時間）および演出の大枠（どんな流れでどんな演出を行うか；以下では、“演出種”とも呼ぶ）の抽せんを行う。主基板１１は、該抽選によって得られた尺および演出の大枠（以下では、演出コマンドとも呼ぶ）を周辺基板１２に送信する。
【００１５】
周辺基板１２は、主に演出処理を司るサブ制御部としての機能を有するサブ制御基板である。周辺基板１２は、主基板１１から受信する演出コマンドに応じて演出処理を実行する。周辺基板１２には、演出に用いられる画像（映像）や音声といった演出データが記憶されている。周辺基板１２は、周辺基板１２は、主基板１１から取得した演出コマンドに従って、具体的な演出内容を抽せんにより決定し、当該演出に用いられる画像（映像）を映像表示装置６に出力すると共に、当該演出に用いられる音声に対応付けられた音声識別子を埋め込んだ音声画像を生成し、これを音声画像表示装置８に表示する。
【００１６】
音声画像表示装置８は、周辺基板１２により生成された音声画像を表示する。なお、音声画像表示装置８に表示される音声画像は、音声識別子が様々な形で含まれていればよく、例えば、音声識別子がＱＲコード（登録商標）やバーコード等によりコード化されていたり、音声識別子が特定マーク、文字列又は記号等により埋め込まれていてもよい。また、音声画像表示装置８がセグにより実現される場合、セグランプの点灯／消灯する組み合わせや配列のバリエーションにより、音声識別子を埋め込むこともできる。
【００１７】
音声出力装置２０は、撮像部２１、画像処理部２２、音声再生部２３、通信部２４、記憶部２５、および入力部２６を有する。
【００１８】
撮像部２１は、音声画像表示装置８に表示される音声画像を撮像する、いわゆるカメラである。なお、本実施形態では、撮像部２１が音声画像表示装置８に表示された音声画像を撮影可能となるような位置に音声出力装置２０が配置されることが重要である。
【００１９】
画像処理部２２は、撮像部２１により撮像された音声画像から音声識別子を取得する。上述したように、音声画像には音声識別子が埋め込まれており、所定の画像処理を実行することで、音声画像から音声識別子を抽出する。
【００２０】
音声再生部２３は、画像処理部２２により取得された音声識別子に基づいて、該音声識別子に対応付けられた音声を取得し、該取得された音声を再生する。
【００２１】
通信部２４は、音声再生部２３により再生された音声を、無線又は有線コード等を介してヘッドフォン３０に出力する。
【００２２】
記憶部２５は、パチンコ機１の周辺基板１２に記憶された音声の各々を少なくとも記憶している。すなわち、記憶部２５は、周辺基板１２が保持する各音声識別子と該音声識別子の各々に対応する音声とを関連付けたテーブルを有する。従って、音声出力装置２０は、パチンコ機１にて出力される音声の全てを再生することができる。
【００２３】
入力部２６は、ＣＤ（Ｃｏｍｐａｃｔ  Ｄｉｓｃ）−ＲＯＭ、ＤＶＤ（Ｄｉｇｉｔａｌ  Ｖｅｒｓａｔｉｌｅ  Ｄｉｓｃ）−ＲＯＭを含む可搬型記憶媒体から所定の音声（音声情報）を読み取ることができる。入力部２６により読み取られた音声は記憶部２５に記憶される。なお、上記所定の音声の取得は、可搬型記憶媒体から取得する形態に限らず、ネットワークを介してダウンロードにより取得してもよい。この場合は、入力部２６は、ネットワークを介して他のコンピュータから上記音声を取得する。
【００２４】
ヘッドフォン３０は、通信部３１及び出力部３２を有する。
【００２５】
通信部３１は、音声出力装置２０から出力されてくる音声を受信する。
【００２６】
出力部３２は、ヘッドフォン３０のスピーカーに受信した音声を出力する。ヘッドフォン３０のスピーカーに出力された音声は遊技者により聴音される。
なお、上記各機能部は、ハードウェア又はＣＰＵが実行するプログラム、もしくはこれらの協動により実現されるものである。
【００２７】
（音声と音声識別子とを対応付けるテーブル情報）
図４は、本発明の一実施形態に係る音声と音声識別子とを対応付けるテーブル情報を示す図である。テーブル情報は、パチンコ機１の周辺基板１２が予め既知情報として記憶している。
図４に示されるように、テーブル情報には、「演出種」、「発生演出（演出の画像、演出の音声）」、及び「発生音／音声識別子」が予め対応付けられている。
【００２８】
「演出種」は、演出の種類を示す。例えば、ハズレ（リーチにならない状態）、ノーマルリーチ、ノーマルロングリーチ、大当たりなどの種類がある。
「発生演出」は、「演出種」のうち、実際に発生する演出を示す。例えば、「演出種」がハズレの場合、ハズレＡ、ハズレＢ、ハズレＣといったハズレ演出がある。また例えば、「演出種」がスーパーリーチの場合、スーパーリーチＡ、スーパーリーチＢ、スーパーリーチＣといったスーパーリーチ演出がある。
「発生音／音声識別子」は、「発生演出」に対応付けられた演出音、音声識別子を示す。例えば、「発生演出」がスーパーリーチＡの場合、スーパーリーチＡ発生に伴って出力される音声は、Ｓ０００１という識別子により特定される音声である。つまり、「発生演出」がスーパーリーチＡと決定されると、スーパーリーチＡの映像と共に、Ｓ０００１という識別子により特定される音声が出力される。
なお、ハズレであっても、演出のための音声は存在するので、３つの図柄のうちリーチにならない映像と共に、当該ハズレ演出に用いられる音声（例えば、Ｚ０００１〜Ｚ０００３の何れか）が出力される。
【００２９】
＜制御処理＞
図５は、本発明の一実施形態に係る遊技システムの制御処理を示す全体シーケンス図である。
【００３０】
Ｓ１０：まず、パチンコ機１は、音声画像表示装置８に、音声識別子を含む音声画像を表示する。なお、パチンコ機１にて表示される演出の映像と同期して、音声出力装置２０にて上記演出の映像に対応する音声を再生することを考慮すると、音声画像表示装置８への音声画像の表示は、映像表示装置６における該当映像の表示の開始よりも前であることが好ましい。
【００３１】
Ｓ２０：音声出力装置２０は、パチンコ機１の音声画像表示装置８に表示された音声画像を撮像し、撮像された音声画像から音声識別子を取得し、取得した音声識別子に対応付けられた音声を再生する。なお、音声出力装置２０は、所定の演出の映像が映像表示装置６にて表示されるタイミングと同期して、対応する音声を再生することが好ましい。例えば、音声画像表示装置８での音声画像の表示の開始からＸ秒後に該音声画像に関する演出の映像を映像表示装置６に表示するようにパチンコ機１を構成した場合、撮像部２１にて音声画像を取得してからＸ秒後に該当音声を再生するように音声出力装置２０を構成すればよい。
【００３２】
また、本実施形態では、音声出力装置２０は、パチンコ機１から音声識別子を取得した順に対応する音声を再生する。よって、音声出力装置２０が所定の音声の再生中に次の音声識別子を取得した場合、音声出力装置２０は、現在再生中の音声が終了した後に、新たに取得した音声識別子に対応する音声を再生する。また、例えば、音声出力装置２０が第１の音声識別子に対応する音声を再生中に、順番に第２の音声識別子、第３の音声識別子を取得した場合、音声出力装置２０は、第１の音声識別子に対応する音声が終了した後に第２の音声識別子に対応する音声を再生し、該第２の音声識別子に対応する音声が終了した後に第３の音声識別子に対応する音声を開始する。
【００３３】
Ｓ３０：ヘッドフォン３０は、音声出力装置２０から音声を受信し、スピーカーに受信した音声を出力する。ヘッドフォン３０のスピーカーに出力された音声は遊技者により聴音される。
【００３４】
以下、各ステップについて詳しく説明する。
図６は、本発明の一実施形態に係るパチンコ機の制御処理Ｓ１０を示すフローチャート図である。
【００３５】
Ｓ１１：周辺基板１２は、パチンコ機１から出力されるべき音声が発生したか否か（演出コマンドが生成されたか否か）を判定する。主基板１１は、演出を発生させる場合、周辺基板１２に演出を発生させるための演出コマンドを送信する。周辺基板１２は、演出コマンドを受信した場合、出力されるべき音声が発生したと判定する。
【００３６】
Ｓ１２：周辺基板１２は、演出コマンドの「演出種」と尺との情報に基づいて、抽せんにより「発生演出」を決定し、決定した「発生演出」に対応する音声識別子を一意に特定する。
【００３７】
図４を参照し、例えば、主基板１１からの演出コマンドにより「演出種」がスーパーリーチである場合、周辺基板１２は、スーパーリーチのうち、スーパーリーチＡ、スーパーリーチＢ、又はスーパーリーチＣの中から尺に合う何れか１つの「発生演出」を決定する。「発生演出」が決定されると、音声識別子も一意に特定される。「発生演出」がスーパーリーチＡと決定されると、スーパーリーチＡの発生に伴う音声として、Ｓ０００１という音声識別子が特定される。
【００３８】
Ｓ１３：周辺基板１２は、Ｓ１２で特定した音声識別子を含む音声画像を生成する。
【００３９】
Ｓ１４：周辺基板１２は、映像表示装置６にてＳ１２にて決定された演出の画像を表示する前に、音声画像表示装置８に、Ｓ１２で生成した音声識別子を含む音声画像を音声画像表示装置８にて表示させる。周辺基板１２は、音声画像表示装置８にて音声画像を表示させた後、所定時間経過したら、現在表示されている音声画像の表示を停止させる。
【００４０】
図７は、本発明の一実施形態に係る音声出力装置の制御処理Ｓ２０を示すフローチャート図である。
【００４１】
Ｓ２１：撮像部２１は、画像を取得したか否かを判定する。なお、ここで取得する画像は、必ずしも音声画像に限られず、音声識別子を含まない画像を取得する可能性もある。
【００４２】
Ｓ２２：画像処理部２２は、Ｓ２１で撮像された画像から音声識別子を取得できたか否かを判定する。上述したように、音声画像であれば音声識別子が埋め込まれており、所定の画像処理を実行することで、Ｓ２１で取得された画像が音声画像であれば音声識別子を取得、抽出できる。
【００４３】
Ｓ２３：音声再生部２３は、Ｓ２２で取得された音声識別子に基づいて、該音声識別子に対応付けられた音声を再生する。例えば、Ｓ２２で音声識別子Ｓ０００１が取得された場合、音声識別子Ｓ０００１に対応付けられた音声（スーパーリーチＡの発生に伴う音声）を再生することができる（図４参照）。即ち、音声再生部２３は、記憶部２５が有するテーブルを参照して、取得された音声識別子Ｓ０００１に対応する音声を抽出して再生する。
【００４４】
Ｓ２４：通信部２４は、Ｓ２３で再生された音声を、無線又は有線コード等を介してヘッドフォン３０に送信する。
【００４５】
図８は、本発明の一実施形態に係るヘッドフォンの制御処理Ｓ３０を示すフローチャート図である。
【００４６】
Ｓ３１：通信部３１は、音声出力装置２０から音声を受信したか否かを判定する。
【００４７】
Ｓ３２：出力部３２は、音声を受信すると、ヘッドフォン３０のスピーカーに受信した音声を出力する。
【００４８】
以上、本実施形態に係る遊技システムによれば、上述の規則上の要件を充足しつつ、パチンコ機１にて出力される音声と同一のものをヘッドフォン３０からを出力できるため、遊技者は楽しみたい自遊技機の音声（演出音楽や効果音等々）を十分に聞き取ることが可能である。また、各々のパチンコ機１からの音声はヘッドフォン３０から出力されるようになるため、ホール店内の騒音環境を改善することもできる。また、本実施形態に係る遊技システムでは、パチンコ機１とは関係なく、小型の音声出力装置２０と汎用のヘッドフォン３０とをホールに提供すればよく、実装も比較的容易である。
【００４９】
＜変形例１＞
図９は、本発明の一実施形態に係る遊技システムの制御処理を示す全体シーケンス図である。図５と比較すると、ヘッドフォン３０が複数存在する点で異なる。
【００５０】
Ｓ１０：まず、パチンコ機１は、音声画像表示装置８に、音声識別子を含む音声画像を表示する（表示させる）。
【００５１】
Ｓ２０：音声出力装置２０は、パチンコ機１の音声画像表示装置８に表示された画像から音声識別子を取得し、該音声識別子に対応付けられた音声を再生する。
【００５２】
Ｓ３０：複数存在する各々のヘッドフォン３０は、音声出力装置２０から音声を無線により受信し、スピーカーに受信した音声を出力する。
【００５３】
なお、音声出力装置２０から各々のヘッドフォン３０に音声を無線送信する際、音声と共にパチンコ機１の識別子（例えば、台番号）を付加して送信する。これにより、ヘッドフォン３０は、複数のパチンコ機からの音声を受信すると共に、その音声が何れのパチンコ機から出力されたものであるかを識別することが可能である。
これにより、友人間で遊技したいものの隣り合って座れずに遊技台が離れるようなことになった場合でも、お互いに音声（演出音や効果音等々）の共有が可能となる。例えば、ヘッドフォン３０において、通常は自台の音声を聞くようにし、音声出力装置２０側又はヘッドフォン３０の設定により、友人の音声としては特定の音声（例えば、スーパーリーチ）のみを聞くようにして楽しむことができる。
【００５４】
＜変形例２＞
可視光通信とは、人の目に見える光である可視光を使って通信を行うものである。パチンコ機１の音声画像表示装置８（この場合、可視光表示装置といえる）において、音声識別子を埋め込んだ可視光を表示し、音声出力装置２０は、パチンコ機１の可視光から音声識別子を取得し、該音声識別子に対応付けられた音声を再生する。また、可視光通信を用いると、可視光そのものを演出時の照明に兼ねることができるため、パチンコ機１の照明装置を兼ねて遊技性を一層向上させることが可能である。
【００５５】
なお、上述の実施形態では、音声出力装置２０が、再生すべき音声情報を記憶部２５にて全て保持しているが、随時外部コンピュータから取得してもよい。この場合は、例えば、音声出力装置２０をネットワークに接続させ、図７のステップＳ２２にて音声識別子を取得した場合に、ステップＳ２３にて、上記ネットワークを介して音声管理サーバ（少なくともパチンコ機１に保持されている音声情報が格納されている）にアクセスして、音声管理サーバに取得された音声識別子に対応する音声を抽出させ、抽出した音声を音声管理サーバから取得すればよい。
【００５６】
＜総括＞
以上のように、本実施形態に係る遊技システムにおいては、規則上の要件を充足しつつ、遊技機の演出に係る音声を好適に聞き取り可能な音声出力装置を提供することが可能である。
【００５７】
なお、本発明の好適な実施の形態により、特定の具体例を示して本発明を説明したが、特許請求の範囲に定義された本発明の広範な趣旨及び範囲から逸脱することなく、これら具体例に様々な修正及び変更を加えることができることは明らかである。即ち、具体例の詳細及び添付の図面により本発明が限定されるものと解釈してはならない。
【符号の説明】
【００５８】
１    パチンコ機
２０  音声出力装置
２１  撮像部
２２  画像処理部
２３  音声再生部
２４  通信部
３０  ヘッドフォン
【図１】
2017213052.tif 000003
【図２】
2017213052.tif 000004
【図３】
2017213052.tif 000005
【図４】
2017213052.tif 000006
【図５】
2017213052.tif 000007
【図６】
2017213052.tif 000008
【図７】
2017213052.tif 000009
【図８】
2017213052.tif 000010
【図９】
2017213052.tif 000011